(57)【要約】【課題】不要な用紙の裁断に際し、作業の繁雑さをなくし、かつ作業時間を短縮することができるようにすることにある。【解決手段】画像形成する画像形成部３と、用紙を収納する用紙収納部６と、用紙を裁断する用紙裁断部７と、用紙収納部６の用紙を用紙裁断部７又は画像形成部３に向けて搬送する用紙搬送部８と、用紙搬送選択部９とを有する。用紙搬送選択部９は、用紙搬送部８に配置され、用紙収納部６の用紙を用紙裁断部７及び画像形成部３のいずれに用紙を搬送するかを選択する。【選択図】図１
2007206249.tif 000002
【特許請求の範囲】
【請求項１】
画像を形成するための画像形成部と、
用紙を収納する用紙収納部と、
用紙を裁断する用紙裁断部と、
前記用紙収納部の用紙を前記用紙裁断部又は前記画像形成部に向けて搬送する用紙搬送部と、
前記用紙搬送部に配置され、前記用紙収納部の用紙を前記用紙裁断部及び前記画像形成部のいずれに用紙を搬送するかを選択する用紙搬送選択部と、
を備えた画像形成装置。
【請求項２】
前記用紙収納部は、
用紙が収納される給紙カセットと、
装置外部から前記用紙搬送部又は前記画像形成部に用紙を供給するためのバイパス給紙部とを有する、
請求項１に記載の画像形成装置。
【請求項３】
前記用紙搬送選択部は、
用紙の画像形成を行う側の面に既に画像が形成されているか否かを検出するセンサーと、
前記センサーの検出結果に基づいて、用紙の搬送方向を前記用紙裁断部側又は前記画像形成部側に切り替える切り替え部材と、
を有する請求項１又は２に記載の画像形成装置。
【請求項４】
前記センサーは用紙表面の画像の有無を検出する光学濃度センサーである、
請求項３に記載の画像形成装置。
【請求項５】
前記用紙裁断部は、
用紙を裁断するシュレッダーと、
前記シュレッダーによって裁断された用紙を収納する回収部と、
を備えた請求項１から４のいずれかに記載の画像形成装置。
【発明の詳細な説明】
【技術分野】
【０００１】
本発明は、画像形成装置、特に、用紙裁断部を備えた画像形成装置に関する。
【背景技術】
【０００２】
画像形成装置は、画像を形成する画像形成部と、画像形成部で形成した画像を用紙に定着する定着部と、画像を形成する用紙を収納する用紙収納部と、画像形成部と定着部とに用紙を搬送する用紙搬送部などを備えている。この画像形成装置では、用紙収納部の用紙が用紙搬送部によって搬送され、画像形成部で画像が形成される。画像形成部で形成された画像は定着部で用紙に定着されて排出される。
【０００３】
以上のような画像形成装置において、画像形成された用紙に対して、閉じ処理、折り処理、穿孔処理等の用紙後処理装置を付加したシステムが提案されている。そして、この用紙後処理装置に対して、外部から用紙を直接給紙するための給紙手段と、給紙手段により給紙された用紙を裁断する裁断手段とを設けた装置も提案されている（特許文献１）。
【特許文献１】特開２００３−２９２２３３号公報
【発明の開示】
【発明が解決しようとする課題】
【０００４】
特許文献１に記載の装置では、用紙後処理装置に対して作業者が用紙を一枚ずつあるいは数枚ずつ挿入し、裁断するという作業が必要であり、時間がかかり、また作業も繁雑である。
【０００５】
本発明の課題は、不要な用紙の裁断に際し、作業の繁雑さをなくし、かつ作業時間を短縮することができるようにすることにある。
【課題を解決するための手段】
【０００６】
請求項１に係る画像形成装置は、画像形成する画像形成部と、用紙を収納する用紙収納部と、用紙を裁断する用紙裁断部と、用紙収納部の用紙を用紙裁断部又は画像形成部に向けて搬送する用紙搬送部と、用紙搬送選択部とを有する。用紙搬送選択部は、用紙搬送部に配置され、用紙収納部の用紙を用紙裁断部及び画像形成部のいずれに用紙を搬送するかを選択する。
【０００７】
この画像形成装置では、用紙収納部に収納されている用紙は、用紙搬送部により、用紙搬送選択部によって選択された用紙裁断部又は画像形成部に搬送される。用紙裁断部側に搬送された用紙は用紙裁断部によって裁断され、画像形成部側に搬送された用紙は画像形成部で画像が形成される。
【０００８】
ここでは、画像形成装置において裁断を行えるために、ミスコピーなどを行った場合にシュレッダーまで不要な用紙を運搬する必要が無く、しかも不要な用紙を用紙収納部に収納するだけで、すべて裁断することができる。従って、用紙を１枚ずつ、あるいは数枚ずつシュレッダーに挿入する必要が無く作業が簡単になりかつ作業者の作業時間を大幅に短縮することができる。
【０００９】
請求項２に係る画像形成装置は、請求項１に記載の画像形成装置であって、用紙収納部は、用紙が収納される給紙カセットと、装置外部から用紙裁断部又は画像形成部に用紙を給紙するためのバイパス給紙部とを有する。
【００１０】
この画像形成装置では、用紙を裁断する際は給紙カセット又はバイパス給紙部に不要な用紙をセットし、用紙裁断部に用紙を搬送して裁断することができる。
【００１１】
請求項３に係る画像形成装置は、請求項１または２に記載の画像形成装置であって、用紙搬送選択部は、用紙の画像形成を行う側の面に既に画像が形成されているか否かを検出するセンサーと、用紙の搬送方向を用紙裁断部側又は画像形成部側に切り替える切り替え部材とを備えている。
【００１２】
ここで、裏紙などを利用して印字を行う場合がある。このとき、給紙部に裏紙等をセットする際に、印字している面と印字していない面を間違えた場合などには、印字している面に再び印字することになる。したがって、このように間違ってセットされた用紙は不要な用紙として用紙裁断部で裁断する必要がある。
【００１３】
そこで、この画像形成装置では、センサーによって用紙の画像を形成する側の面に既に画像が形成されているか否かが検出され、この検出結果に基づいて切り替え部材によって用紙の搬送方向が切り替えられる。
【００１４】
このために、用紙の画像形成を行う側の面に既に画像が形成されている場合は、自動的に用紙が用紙裁断部側に搬送されて裁断される。従って、印字されている面に再び印字することで生じるミスコピーを防止できる。
【００１５】
請求項４に係る画像形成装置は、請求項３に記載の画像形成装置であって、センサーは用紙表面の画像の有無を検出する光学濃度センサーである。
【００１６】
ここでは、光学濃度センサーによって用紙の表面に既に画像が形成されているか否かを検出することができる。
【００１７】
請求項５に係る画像形成装置は、請求項１から４のいずれかに記載の画像形成装置であって、用紙裁断部は、用紙を裁断するシュレッダーと、シュレッダーによって裁断された用紙を収納する回収部とを備えている。
【００１８】
ここでは、不要な用紙がシュレッダーによって裁断され、裁断された用紙は回収部に回収される。
【発明の効果】
【００１９】
本発明は、不要な用紙の裁断に際し、作業の繁雑さをなくし、かつ作業時間を短縮することができるようにすることができる。
【発明を実施するための最良の形態】
【００２０】
１．構成
図１に本発明の一実施形態に係る画像形成装置としての複写機１を示す。なお、この図１は、複写機１の全体概略図であって詳細は省略している。この複写機１は、原稿読み取り部２と、画像形成部３と、定着ユニット４と、排出部５と、用紙収納部６と、用紙裁断部７と、用紙搬送部８と、用紙搬送選択部９とを有している。
【００２１】
原稿読み取り部２は、複写機１で複写したい原稿の画像データを読み取るための部分であって、コンタクトガラス２１と、図示しないカバーとを有している。この原稿読み取り部２では、コンタクトガラス２１上に原稿の複写したい面を載置した後にカバーを閉じ、複写命令をする（複写機１を操作する操作パネルで複写キーを押す）ことでコンタクトガラス２１に向けた原稿面の画像データが読み取られる。
【００２２】
画像形成部３は、画像を形成するための部分であって、感光体ドラム３１と、レーザユニット３２と、現像器３３とを有する。画像形成部３は、複写機１の上方部分に配置されている。感光体ドラム３１は原稿読み取り部２で読み取った画像データに基づいて静電潜像が表面に形成される部材であって、円柱状の部材である。レーザユニット３２は感光体ドラム３１上にレーザ光を照射するための部材である。現像器３３は、感光体ドラム３１の表面にトナーを供給するものであり、感光体ドラム３１の上方に配置されている。現像器３３の内部にはトナーが収納されており、感光体ドラム３１と対向して現像ローラが配置されている。この現像ローラによって感光体ドラム３１の表面にトナーを供給する。
【００２３】
定着ユニット４は、画像形成部３で用紙に形成された画像を用紙に定着させるための部分であって、加熱ローラと、加圧ローラとを有している。また、定着ユニット４は、画像形成部３の上方に配置されている。加熱ローラは、用紙に形成されたトナー像を熱によって溶融定着するための部分であって円柱状の部材である。加圧ローラは、用紙のトナー像を加圧して用紙に定着させるための部分であって、加熱ローラに対向して配置されている。
【００２４】
用紙収納部６は、画像形成部３に供給される用紙が収納されている部分であって、上段給紙カセット６１と、下段給紙カセット６２と、バイパス給紙部６３とを有する。また、用紙収納部６は、複写機１の下部に配置されている。上段給紙カセット６１は、特定の種類（例えばＡ４）の用紙を収納する部分である。下段給紙カセット６２は、上段給紙カセット６１に収納する以外の種類の用紙（例えばＡ３）を収納するための部材であって、上段給紙カセット６１の下方に配置されている。バイパス給紙部６３は、上段給紙カセット６１及び下段給紙カセット６２に収納されている以外の種類の用紙（例えばはがきや裏紙など）を収納している部分であって、複写機１の外枠に取り付けられている。なお、上段給紙カセット６１と下段給紙カセット６２とに同じ種類の用紙をセットすることや裏紙をセットすることもできる。
【００２５】
排出部５は、複写した用紙を複写機１内から複写機１外に排出するための部分であって、複写機１の上部に配置されている。
【００２６】
用紙裁断部７は、不要な用紙を裁断するための部分であって、シュレッダー７１と、回収部７２とを備えている。用紙裁断部７は、複写機１の鉛直方向下部であって、上段及び下段給紙カセット６１、６２に隣接するように配置されている。シュレッダー７１は、上段及び下段給紙カセット６１、６２またはバイパス給紙部６３に収納される用紙のうち複写する側の面が既に印字されている用紙を細かく裁断するための部分である。回収部７２は、シュレッダー７１によって細かく裁断された用紙を回収するための部分であって、シュレッダー７１の下方に配置されている。
【００２７】
用紙搬送部８は、用紙収納部６の用紙を用紙裁断部７又は画像形成部３に向けて搬送する為の部分であって、用紙収納部６から用紙裁断部７及び排出部５まで延びている。用紙搬送部８には、レジストローラやフィードローラが配置されており、用紙収納部６側に搬送する用紙を画像形成部３、定着ユニット４、排出部５の順に搬送する。
【００２８】
用紙搬送選択部９は、用紙搬送部８に配置されており、用紙収納部６の用紙を用紙裁断部７及び画像形成部３のいずれに用紙を搬送するかを選択する部分である。用紙搬送選択部９は、光学濃度センサー９１と、切り替え爪９２と、ソレノイド９３（図２、図３参照）とを有しており、複写機１の下部に配置されている。
【００２９】
光学濃度センサー９１は、用紙の複写する側の面に画像が形成されているか否か、すなわち既に印字されているかどうかを判断するための部材である。光学濃度センサー９１は給紙ローラ下流の用紙転写面側の幅方向中央付近に取り付けられ、通過中の反射濃度の変化から画像の有無を検出する。
【００３０】
切り替え爪９２は、用紙の搬送方向を画像形成部３側または用紙裁断部７側に切り替えるためのものであって、用紙裁断部７と画像形成部３との間に配置されている。切り替え爪９２は、図２及び図３に示すように、略Ｊ字状の部材であって、第１直線部分９２ａと、曲線部分９２ｂと、第２直線部分９２ｃとを有する。第１直線部分９２ａには、一端が複写機１の外枠に固定されたコイルスプリング９４の他端が固定されている。曲線部分９２ｂは、回転可能に固定されている。第２直線部分９２ｃは、第１直線部分９２ａよりも短い部分であって、ソレノイド９３に連結されている。ソレノイド９３は、切り替え爪９２を駆動させることで、用紙の搬送方向を切り替えるための部材である。ソレノイド９３は電力遮断状態では、図２に示すように、突出部９３ａがコイルスプリング９４によって突出するように移動させられる。この場合、下段給紙カセット６２に収納されている用紙はシュレッダー７１側に搬送され、バイパス給紙部６３からの用紙は画像形成部３に搬送される。一方、ソレノイド９３は、通電状態では、図３に示すように、突出部９３ａがソレノイド９３の本体内に収納され、下段給紙カセット６２に収納されている用紙は画像形成部３側に搬送され、バイパス給紙部６３からの用紙はシュレッダー７１側に搬送される。
【００３１】
２．動作
次に用紙に複写する際の動作について説明する。
【００３２】
用紙に複写する場合には、先ず原稿読み取り部２に原稿をセットする。この状態で、複写キーなどの開始指示がなされると、原稿読み取り部２で原稿の画像データが読み取られる。読み取られた原稿の画像データは画像形成部３に送信され、この画像データに基づいて画像形成部３で画像が形成される。このとき操作者に選択された種類の用紙が用紙収納部６から用紙搬送選択部９に搬送される。
【００３３】
ここでは、例えば、バイパス給紙部６３から用紙が搬送される場合について説明する。バイパス給紙部６３からの用紙は、光学濃度センサー９１によって用紙の複写する側の面にすでに印字されていないかが検出される。印字されていない場合は、用紙搬送選択部９のソレノイド９３はＯＦＦされ（図２の状態）、切り替え爪９２を介して用紙は画像形成部３側に搬送される。画像形成部３では用紙に画像が形成される。その後、定着ユニット４で画像が定着させられ、排出部５から排出される。
【００３４】
一方、用紙の複写する側の面がすでに印字されている場合には、用紙搬送選択部９のソレノイド９３がＯＮとなり、この場合は、切り替え爪９２を介して用紙はシュレッダー７１側に搬送される。ここでは、用紙はシュレッダー７１によって細かく裁断され、その後に回収部７２に回収される。
【００３５】
以上の動作について、特に搬送制御に着目したフローチャートを図４に示す。ステップＳ１では、光学濃度センサー９１によって用紙の印字すべき面の濃度を検出する。次にステップＳ２では、ステップＳ１の検出結果に基づいて、すなわち濃度データに基づいて、印字されているか否かを判断する。
【００３６】
印字されていない場合は、ステップＳ２からステップＳ３に移行し、ソレノイド９３をＯＦＦする。これにより、切り替え爪９２が図２に示す姿勢に制御される。この状態では、バイパス給紙部６３から供給された用紙は、画像形成部３側に搬送され、ステップＳ４において通常の画像形成を実行する。
【００３７】
一方、用紙の印字すべき面に既に印字されている場合は、ステップＳ２からステップＳ５に移行し、ステップＳ５ではソレノイド９３をＯＮする。これにより、切り替え爪９２を図３に示す姿勢に制御される。この状態では、バイパス給紙部６３から供給された用紙は、シュレッダー７１側に搬送され、ステップＳ６において裁断処理を実行する。
【００３８】
ここでは、複写機１によって用紙を裁断することができるようにすることでシュレッダー７１まで用紙を運搬の手間をなくすことができる。またバイパス給紙部６３やカセット６１、６２に不要な用紙を収納することで、容易にかつ短時間に用紙を裁断することができる。
【００３９】
また、ここでは、用紙の印字すべき面に印字されているか否かを判断し、印字されている場合は、画像形成部３に搬送することなくシュレッダー処理を実行するので印字面に再び印字することによるミスコピーを防止できる。
【００４０】
なお、上、下段給紙カセット６１、６２から用紙搬送選択部９に用紙が搬送される場合には、ソレノイド９３の通電・電気遮断状態は、バイパス給紙部６３から用紙が搬送される場合の逆になる。
【００４１】
３．他の実施形態
上記実施形態では、印字を行う面に既に印字がされているかどうかによって、シュレッダー７１側に移動するか画像形成部３側に移動するかを選択したが、本発明はこれに限られずに、光学濃度センサー９１や印字率等で一定の閾値を設けて選択しても良い。また、自動的に、画像形成部３側への搬送とシュレッダー７１側への搬送とを切り替えるのではなく手動で（操作パネル等によって）切り替えても良い。上記実施形態では濃度センサーとして光学濃度センサー９１を用いたが、本発明はこれに限られずに他の濃度センサーであっても良い。
【図面の簡単な説明】
【００４２】
【図１】本発明の複写機の概略全体図。
【図２】電気遮断時のソレノイドの状態を示す図。
【図３】電気通電時のソレノイドの状態を示す図。
【図４】用紙搬送制御に着目したフローチャート。
【符号の説明】
【００４３】
１  複写機
２  原稿読み取り部
３  画像形成部
４  定着部
５  排出部
６  給紙部
７  用紙裁断部
８  用紙搬送部
９  用紙搬送選択部
６１  上段給紙カセット
６２  下段給紙カセット
６３  バイパス給紙部
７１  シュレッダー
７２  回収部
９１  光学濃度センサー
９２  切り替え爪
９３  ソレノイド
【図１】
2007206249.tif 000003
【図２】
2007206249.tif 000004
【図３】
2007206249.tif 000005
【図４】
2007206249.tif 000006